(57)【特許請求の範囲】
【請求項１】
永久磁石を有する羽根体を回転自在に支持し、かつ前記永久磁石に対する回転磁界を発生する手段を配設した基部と、軸流ファンの外形形状を形成する枠体との間を、複数の連結部を介して一体的に形成するとともに、前記手段に対する通電を行ための複数のリード線を前記連結部に沿うように設けた軸流ファンであって、
前記枠体のうち、前記連結部の一つから延設された延設部に形成された孔であって、前記リード線を配線後に固定する固定部と、
前記延設部に形成され、一端が開放し、他端が前記固定部と連続した開口部と、
前記連結部の一つの略中間部位から前記羽根体の回転方向に沿うように延設されたリード線支持部と、
を備えることを特徴とする軸流ファン。
【請求項２】
前記リード線支持部を、前記羽根体に向かう凸状の曲面から構成し、前記羽根体が回転駆動されるに伴い発生する気流を滑らかに通過させるようにしたことを特徴とする請求項１に記載の軸流ファン。
【請求項３】
前記リード線支持部において、前記リード線を前記羽根体から離間するように屈曲して保持することを特徴とする請求項１または２に記載の軸流ファン。
【発明の詳細な説明】
【０００１】
【発明の属する技術分野】
本発明は、軸流ファンに係り、特に電源供給及び駆動状態を監視するリード線を固定するための技術に関するものである。
【０００２】
【従来の技術】
軸流ファンは、パソコン等の電子機器の心臓部となる中央演算素子乃至半導体の冷却用としての需要が近年ますます高まりつつあり、特に直流電源とする小型軸流ファンは、現在多く生産されている。
【０００３】
従来の小型軸流ファンによれば、羽根部を複数設けた羽根体を枠体の本体ハウジングの中央部において連結部を介して設けられた基部において回転自在に設ける一方で、基部には回転磁界を発生するためのコイルが設けられており、リード線により回転磁界発生のための直流の電力供給を行うように構成されている。
【０００４】
一方、リード線がコイルに対してさらに接続されており、何等かの原因で羽根体の回転が停止したときに、起電力を発生するようにして使用者にランプを点灯するか、何等かの警報を生じて、運転中の軸流ファンが突然停止した異常状態を知らせるように構成される場合もある。以上の事情から、リード線は２本と３本を適宜設けるようにしている。
【０００５】
【発明が解決しようとする課題】
また、より簡単に構成される軸流ファンによれば、リード線の支持のために枠体の側面部位をリード線が直に通過する構成としていた。また、外形が２５ｍｍ角前後の超小型の軸流モータでは、駆動回路基板に対して直にハンダ付けするための切欠部を基部に形成しておき、リード線を支持部となる穴部に通過してから連結部の孔部に通してから半田付け作業を行うようにしていた。
【０００６】
このためにリード線を挿通保持する孔部の直径分が連結部において太くなってしまい、太い連結部は風の通過の障害となる問題があった。また、リード線を枠体の本体ハウジング側にしっかりと固定することは、製品として重要なことであるが、従来は枠体側に固定口を設けておき、リード線を固定口に差し込むようにしていた。
【０００７】
このために、少なくとも半田付け前にリード線をセットしてからでないとハンダ付けできなくなる作業手順が発生していた。また、リード線を固定する固定口は、リード線を固定口に単に差し込む方式であったために、リード線が振動を受けて半田が外れて、断線する事態も指摘されている。
【０００８】
したがって、本発明の軸流ファンは上記の問題点に鑑みてなされたものであり、リード線が送風の通過の障害とならず、かつリード線を枠体に確実に固定することができ、さらに半田付け作業に順番が生じない軸流ファンの提供を目的としている。
【０００９】
【課題を解決するための手段】
上述した課題を解決し、目的を達成するために、本発明によれば、永久磁石を有する羽根体を回転自在に支持し、かつ前記永久磁石に対する回転磁界を発生する手段を配設した基部と、軸流ファンの外形形状を形成する枠体との間を、複数の連結部を介して一体的に形成するとともに、前記手段に対する通電を行ための複数のリード線を前記連結部に沿うように設けた軸流ファンであって、前記枠体のうち、前記連結部の一つから延設された延設部に形成された孔であって、前記リード線を配線後に固定する固定部と、前記延設部に形成され、一端が開放し、他端が前記固定部と連続した開口部と、前記連結部の一つの略中間部位から前記羽根体の回転方向に沿うように延設されたリード線支持部と、を備えることを特徴としている。
【００１０】
【発明の実施の形態】
以下に本発明の好適な実施形態について、添付の図面を参照して述べる。
【００１１】
次に、図１は軸流ファンへのリード線５の取付け前（ａ）、リード線５の取付け後（ｂ）の様子を示した外観斜視図である。また、図２は軸流ファンの平面図（ａ）、中心断面図（ｂ）である。
【００１２】
先ず、図２において、永久磁石１１を有する羽根体１３には軸体１７が一体成形されており、この軸体１７が基部６に内蔵の燒結体からなる軸受１３とボールベアリング１２によって回転自在に支持されており、羽根体１３を回転するようにしている。この基部６にはさらに上記の永久磁石１１に対する回転磁界を発生するコイル１５と所定の電子回路を実装するとともに、リード線５を半田付けするためのランド部３ａ、３ｂ、３ｃを設けた回路基板３が配設されている。
【００１３】
この基部６は軸流ファンの外形形状を形成する枠体１との間を図示のように基部６の接線方向に伸びる３本の連結部２を介して一体形成するように例えば所定樹脂材料から一体射出成形されている。
【００１４】
次に、図１をさらに参照して、上記の回路基板３に対する電源供給と、何等かの原因で羽根体１３の回転が停止したときに、起電力を発生するようにして使用者にランプを点灯するか、何等かの警報を生じて、運転中の軸流ファンが突然停止した異常状態を知らせるためのリード線５は連結部２の一つに略平行に沿うように設けられている。
【００１５】
この連結部２の一つは枠体１の外側壁面となる第１の枠体部位１Ａと並設される。
【００１６】
また、この連結部２の延設部となる第２の枠体部位１Ｂには、図示のように開口した開口部７が形成されており、この開口部７から右方向に連続形成される溝部の奥側においてリード線の外径直径よりも少し小さい内径の固定部８が図示のように３箇所形成されている。したがって、これらの固定部８にリード線を圧入することでリード線の外径が細くなり確実に保持されることになる。この固定部は図示の形状以外に単純に幅が細くなるようにしても良い。
【００１７】
一方、連結部２の略中間部位からは羽根体１３の回転方向に沿うように延設されるリード線支持部４が一体形成されている。
【００１８】
このリード線支持部４は、図１（ｂ）において、リード線５の３本分（２本の場合もある）を基板３のランド部に対して夫々半田付けした後に、羽根体１３から離間するように屈曲して保持して、羽根体１３に接触しないようにする目的と、上記の固定部８からリード線を引き抜こうとする力に対向するように屈曲させる二つの目的がある。リード線支持部４の構成について次に述べる。
【００１９】
図３（ａ）はリード線支持部４の背面図である、（ｂ）は（ａ）のＡ‐Ａ矢視断面図である、そして（ｃ）は（ｂ）のＢ‐Ｂ矢視断面図である。
【００２０】
先ず、図３（ａ）において、リード線支持部４は羽根体の回転方向に沿うように円弧を有するように連結部２の途中部位から一体形成されている。
【００２１】
また、図３（ｃ）において、リード線支持部４は羽根体１３に向かう凸状の曲面４ａから構成されており、羽根体１３が回転駆動されるに伴い発生する気流Ｆを滑らかに通過させるようにしている。
【００２２】
さらに、図３（ｂ）に図示のように、全ての連結部２にも羽根体１３に向かう凸状の曲面２ａが形成されており、羽根体１３が回転駆動されるに伴い発生する気流Ｆを滑らかに通過させるようにしている。
【００２３】
以上の構成において、図１（ｂ）を参照して、リード線５の一端が回路基板３のランド部３ａ、３ｂ、３ｃ上に夫々半田付けされた後に、リード線支持部４上を羽根体１３から離間する側になるように通し、開口部７に入れてから固定部８に順次セットする。
【００２４】
このようにすることでリード線５に直に風が当たるが、羽根体１３から出た風は外周側が最大であるが、この風を少なくともリード線支持部４により遮ることはなくなる。また、上記のように曲面４ａで鋭角にしてあるため、風の流れを遮る事はなくなり、空気の流れによって発生する騒音も抑える事ができる。
【００２５】
また、リード支持部４は、円周方向に伸びた形状をしている為に、枠体１の通風口と接触していないために、充分な間隙ができることになる。
【００２６】
以上のように構成することで、リード線５が羽根体１３側に向かうように撓んで接触することを防ぐことができ、なおかつ細い形状で構成されているのでリード線支持部４はで風量を損なうことない。
【００２７】
また、半田付け専用治具を準備することで、リード線５を固定部８に固定してから、リード線支持部４において支持するようにしてから半田付けするようにもできる。
【００２８】
以上のように、リード線５が羽根体１３が回転している側へ撓み、羽根体１３と接触するという事故は完全に防ぐ事が出来る。またリード支持部４は、ハウジングの通風口面において大きな間隙ができているために、風量が最大となる羽根の外周部分を遮蔽しない為に、風量を低下させる事がなくなる。
【００２９】
また、リード線を回路基板へ半田付けするための切欠部６ａ（図１参照）を小さくすることなく大きく構成でき、半田付け作業がしやすくなる。
【００３０】
また、リード線５を確実に固定することによって、リード線の挿入後において、振動や、乱暴に取り扱われてもリード線が外れる不都合がなくなる。
【００３１】
【発明の効果】
以上説明したように、本発明によれば、リード線が送風の通過の障害とならず、かつリード線を枠体に確実に固定することができ、さらに半田付け作業に順番が生じない軸流ファンを提供することができる。
【００３２】
【図面の簡単な説明】
【図１】（ａ）は軸流ファンへのリード線５の取付け前の様子を示した外観斜視図、（ｂ）は、リード線５の取付け後の様子を示した外観斜視図である。
【図２】（ａ）は図２は軸流ファンの平面図、（ｂ）は図２は軸流ファンの中心断面図である。
【図３】（ａ）はリード線支持部４の背面図である、（ｂ）は（ａ）のＡ‐Ａ矢視断面図である、そして（ｃ）は（ｂ）のＢ‐Ｂ矢視断面図である。
【符号の説明】
１    枠体
１Ａ  第１の枠体部位
１Ｂ  第２の枠体部位
２    連結部
３    回路基板（手段）
４    リード線支持部
５    リード線
６    基部
７    開口部
８    固定部
【図１】
0003965222.tif 000002
【図２】
0003965222.tif 000003
【図３】
0003965222.tif 000004